(57)【要約】【課題】本発明は、水容器を対象とする。【解決手段】水容器は、硬質の流体リザーバ、フィルタ、ならびに開位置および閉位置を有する水出口によって画定された流体経路と、流体入口と、および、流体入口に連結されたポンプと、を備え、  ポンプが、逆止め弁と、および、ピストン軸と、を備え、ピストン軸を通じてピストンヘッドが移動可能であり、ピストンヘッドはピストン軸の第１の端部にあるオリフィスを通って摺動自在に移動可能なピストン棒に連結されており、使用時にポンプの作動により流体入口と連通する流体源から逆止め弁を介して流体リザーバに流れ込むように流体リザーバを加圧し、水出口が開放位置にあるときに圧力差によりフィルターを通じて水出口に向かう流路経路に沿った水の流れを引き起こすように、オリフィスはピストン棒の周りで封止されており、ピストン軸が、フィルタによって実質的に包囲される。【選択図】図２
2020507447.tif 000002
【特許請求の範囲】
【請求項１】
硬質の流体リザーバ、フィルタ、ならびに開位置および閉位置を有する水出口によって画定された流体経路と、
流体入口と、および、
前記流体入口に連結されたポンプと、を備え、
前記ポンプが、逆止め弁と、および、
ピストン軸と、を備え、
前記ピストン軸を通じてピストンヘッドが移動可能であり、
前記ピストンヘッドは前記ピストン軸の第１の端部にあるオリフィスを通って摺動自在に移動可能なピストン棒に連結されており、
使用時に前記ポンプの作動により前記流体入口と連通する流体源から前記逆止め弁を介して流体リザーバに流れ込むように前記流体リザーバを加圧し、前記水出口が開放位置にあるときに圧力差により前記フィルターを通じて前記水出口に向かう前記流路経路に沿った水の流れを引き起こすように、前記オリフィスは前記ピストン棒の周りで封止されており、
前記ピストン軸が、前記フィルタによって実質的に包囲される、水容器。
【請求項２】
前記硬質の流体リザーバが、少なくとも３００ｍｌ、好ましくは少なくとも４５０ｍｌの貯蔵容量を有する、請求項１に記載の水容器。
【請求項３】
前記流体入口が、前記水容器の側壁に配置される、請求項１または２に記載の水容器。
【請求項４】
前記流体入口が、前記水容器の側壁に配置されたオリフィスを含む、請求項３に記載の水容器。
【請求項５】
前記流体入口が、使用時に前記流体入口がホースにより流体源と連通するように、前記ホースに取付け可能である、請求項１から４のいずれか一項に記載の水容器。
【請求項６】
前記硬質の流体リザーバが、取外し可能なベース部分を備える、請求項１から５のいずれか一項に記載の水容器。
【請求項７】
前記流体入口が、前記ピストンヘッドと前記流体入口との間に配置された流体が前記ポンプの作動中に前記流体源へ逆流しないように、第２の逆止め弁をさらに備える、請求項１から６のいずれか一項に記載の水容器。
【請求項８】
前記水出口の前記開位置および前記閉位置が、水栓によって操作される、請求項１から７のいずれか一項に記載の水容器。
【請求項９】
前記水出口がノズルを備える、請求項１から８のいずれか一項に記載の水容器。
【請求項１０】
前記水出口が、２次容器に取付け可能である、請求項１から９のいずれか一項に記載の水容器。
【請求項１１】
前記水出口が、ホースに取付け可能である、請求項１０に記載の水容器。
【請求項１２】
使用時に前記水出口を通って流れる水が２次容器に入るように、前記２次容器への取付けのための固定手段をさらに備える、請求項１から１１のいずれか一項に記載の水容器。
【請求項１３】
前記固定手段が、ねじ山である、請求項１２に記載の水容器。
【請求項１４】
前記フィルタが、圧力差の影響下で空気よりも水を優先して通過させるのに効果的な１つまたは複数の膜を備える、請求項１から１３のいずれか一項に記載の水容器。
【請求項１５】
前記１つまたは複数の膜が、２０ナノメートル未満、好ましくは１５ナノメートル未満の平均径を有する複数の細孔を備える、請求項１４に記載の水容器。
【請求項１６】
前記フィルタが、少なくとも１つの親水性毛管中空繊維膜を備える、請求項１から１５のいずれか一項に記載の水容器。
【請求項１７】
前記フィルタが、複数の繊維膜、好ましくは中空繊維膜を含むフィルタカートリッジを備える、請求項１から１６のいずれか一項に記載の水容器。
【請求項１８】
前記フィルタカートリッジが、前記水容器から取外し可能である、請求項１７に記載の水容器。
【請求項１９】
前記フィルタカートリッジが、複数の穴が貫通している外壁を有する環状ハウジングを備える、請求項１７または１８に記載の水容器。
【請求項２０】
前記フィルタおよび前記ピストン軸が、同軸である、請求項１から１９のいずれか一項に記載の水容器。
【請求項２１】
前記流体リザーバ、前記フィルタ、および前記ピストン軸が、実質的に円筒状でありかつ同軸である、請求項１９に記載の水容器。
【請求項２２】
圧力調整器をさらに備える、請求項１から２１のいずれか一項に記載の水容器。
【請求項２３】
前記圧力調整器が、前記流体リザーバ内の前記圧力が所定のレベルを超えて上昇するのを防ぐように適合された弁を備える、請求項２２に記載の水容器。
【請求項２４】
前記流体経路が、前記フィルタと前記水出力部との間に配置された２次フィルタを備える、請求項１から２３のいずれか一項に記載の水容器。
【請求項２５】
前記２次フィルタが、炭素フィルタである、請求項２４に記載の水容器。
【請求項２６】
前記２次フィルタが、取外し可能である、請求項２４または２５に記載の水容器。
【請求項２７】
前記硬質の流体リザーバおよび水出口のうちの少なくとも一方が、プラスチック材料、好ましくは水質等級のアクリロニトリルブタジエンスチレンまたはポリプロピレンで作られる、請求項１から２６のいずれか一項に記載の水容器。
【請求項２８】
前記水出口が、抗菌性の添加物を含む、請求項１から２７のいずれか一項に記載の水容器。
【請求項２９】
閉鎖可能な水出口および流体入口を有する硬質の容器本体と、
前記容器本体に収容されかつ前記水出口に連結された水フィルタと、
前記容器本体に収容されかつ前記流体入口に連結されたポンプと、を備え、
前記ポンプが、逆止め弁と、および
ピストン軸と、を備え、
前記ピストン軸を通してピストンヘッドが移動可能であり、
前記ピストンヘッドが、前記ピストン軸の第１の端部にあるオリフィスを通って摺動自在に移動可能なピストン棒に連結されており、
使用時に前記ポンプの作動により前記流体入口と連通している流体源から前記逆止め弁を通して前記容器本体内へ流体が送り込むように前記容器本体を加圧し、前記水出口が開放位置にあるときに圧力差により前記容器本体から前記水フィルタを通って前記水出口へ向かう水の流れを引き起こすように、前記オリフィスが前記ピストン棒の周りで封止されており、
前記ピストン軸が、前記水フィルタによって実質的に包囲される、水容器。
【請求項３０】
３Ｄプリンタを使用して請求項１から２９のいずれか一項に記載の水容器を製造するために３Ｄ印刷命令をコード化する、コンピュータプログラム製品。
【請求項３１】
請求項１から２９のいずれか一項に記載の水容器のコンピュータモデルをコード化する、コンピュータプログラム製品。
【請求項３２】
請求項１から２９のいずれか一項に記載の水容器と前記水容器の前記流体入口に取付け可能なホースとを含む、キット。
【発明の詳細な説明】
【技術分野】
【０００１】
水筒に関する。
【背景技術】
【０００２】
いつでも利用できる飲料水源がない場合、飲用水が入っているボトルまたは他の入れ物を携行することが一般的である。ボトルは、人が安全な飲料水を自由に入手できるように、予め満たされる。その代わりに周囲環境由来の水を飲むことを選択した場合、水中に自然にいる細菌、嚢子、またはウイルスを介した疾患によって中毒になるかまたは倒れるリスクがある。
【０００３】
国際特許公開ＷＯ２００８０３７９６９、ＷＯ２０１１０２７１２５、およびＷＯ２０１３０３８１７８は、印加された圧力差の作用の下で水を濾過するために中空繊維膜を利用するフィルタモジュールを含む水容器を開示している。圧力差は、容器内に空気を送り込むことによって得られる。
【０００４】
この水濾過技術の背後にある原理は、水が「汚い状態で」容器内に集められて貯蔵され、実際に消費のために分注されるときにのみ濾過されることである。これらの公開で開示された容器は、人道援助の分野ではかなりの商業的成功を収めている。
【発明の概要】
【発明が解決しようとする課題】
【０００５】
消費者市場では、トレッキング中に次の水源をどこで見つけられるかに多少の不安があることが普通であるトレッキング旅行者の需要を満たす、より順応性のある製品が必要とされている。
【課題を解決するための手段】
【０００６】
本発明の第１の態様によれば、水容器であって、硬質の流体リザーバ、フィルタ、ならびに開位置および閉位置を有する水出口によって画定された流体経路と、流体入口と、流体入口に連結されたポンプと、を備え、ポンプが、逆止め弁と、ピストン軸とを備え、ピストン軸を通してピストンヘッドが移動可能であり、ピストンヘッドが、ピストン軸の第１の端部にあるオリフィスを通って摺動自在に移動可能なピストン棒に連結されており、オリフィスが、水出口が開位置にあるときに圧力差によりフィルタを通って水出口に向かう流体経路に沿った水の流れが引き起こされるように流体リザーバを加圧するために、使用時にポンプの作動により流体入口と連通している流体源から逆止め弁を通して流体リザーバ内へ流体が送り込まれるように、ピストン棒の周りで封止されており、ピストン軸が、フィルタによって実質的に包囲される、水容器が提供される。
【０００７】
本発明の水容器は、様々な状況でトレッキング旅行者の要求を満たすように適応可能である。有利には、水入口とピストン棒の周りで封止されているピストン軸のオリフィスとが存在することにより、水容器は、使用者の状況に応じて、使用者に必要とされる通りに２つの別個のモードで使用され得る。
【０００８】
例えば、使用者が遠隔環境でトレッキングしていて、河川または湖などの給水場所を見つけたが次の給水場所がどこで見つかるか分からない場合、本発明の水容器は、２次容器をきれいな飲用水で満たすために、汚い水を給水場所からフィルタを通して水出口の外へと連続的に送り込むのに使用することができる。これは、水出口が開位置にあることを確実にすること、流体入口を汚い水の供給場所に置くこと、および、ポンプを作動させることによって行われる。ポンプの作動は、水を給水場所から硬質の流体リザーバ内に引き込んで、流体リザーバを加圧する。これは、水が流体経路に沿ってフィルタを通過し水出口から出て２次容器に入るために必要とされる圧力差を提供する。圧力下でフィルタを通過する水の動きにより、出てくる水は、濾過されており、きれいで飲んでも安全である。このようにして、本発明のコンパクトな水容器は、使用者が次の給水場所を見つけるまで、使用者が飲むための十分に安全な飲用水で大きい容器を効率的に満たすために使用され得る。
【０００９】
別の状況では、トレッキング旅行者が、それほど遠隔ではない環境にあって、短い時間枠内で水源を見つけられることが確実な場合がある。そのような例は、その後で歩行者が家に帰る、地方公園での午後の散歩であり得る。しかし、そのような散歩は、それでもなお激しい場合があり、歩行者が頻繁に水を飲むことを欲する場合がある。重くかつ扱いにくいであろうこの目的のための大きい水容器を持ち歩くのではなく、本発明の水容器を代わりに使用することができる。この場合、使用者は、水容器の水出口をその閉位置に変更し、上記で説明されたのと同じように、汚い水の供給場所から流体リザーバ内に水を送り込む。しかし、逆止め弁と水出口の閉位置とにより、汚い水は、使用者が飲料を必要とするまで、硬質の流体リザーバ内に貯蔵される。水を濾過して飲むために、使用者は、水出口をその開位置へと開く。次いで、すでに空気が存在しているリザーバ内に送り込まれたためにリザーバ内で圧力を受けて貯蔵されている汚い水は、流体経路に沿ってフィルタを通過して、流体出口から流出する。水がフィルタを通って流れるためにより大きい圧力差が必要とされる場合、使用者は、必要とされる圧力を提供するために、ポンプを使用して、空気を流体入口から流体リザーバ内に送り込む。使用者が容器内の貯蔵された水を全て飲んだ場合、使用者は、簡単に容器をもう一度いっぱいにすることができる。水容器は、上記のように硬質の流体リザーバ内に水を送り込むことによって満たされてもよく、あるいは、汚い水が（例えば、水を注ぎ込むことにより、または、水容器を使用して水源から直接水を「すくい取る」ことにより）硬質の流体リザーバ内に直接導入されてもよい。そのような場合、必要とされる圧力差を生じさせるために、流体リザーバ内に空気が送り込まれる必要がある。
【００１０】
以上のように、本発明の水容器は、非常に順応性があり、かつ、様々な用途および起こり得る状況のために使用され得る。有利には、ピストン軸がフィルタによって実質的に包囲されるので、水容器は、コンパクトであり、容易に持ち運ぶことができる。
【００１１】
流体経路に沿った水の流れを引き起こすために、流体リザーバ内の必要とされる圧力は、典型的には少なくとも０．２５バールであり、好ましくは１．２バールである。水出口から出る水の流量は、１リットル／分であり得る。
【００１２】
硬質の流体リザーバは、好ましくは少なくとも３００ｍｌ、より好ましくは少なくとも４５０ｍｌの貯蔵（すなわち、内部）容積を有する。これは、有利には、上記のような非常に順応性があるコンパクトな水容器を提供し、さらに、いつでも濾過して飲むことができるかなりの量の水を都合良く保持する水容器を提供する。
【００１３】
典型的には、流体入口は、水容器の側壁に配置され、また、好ましくは、水容器の側壁に配置されたオリフィスを含む。この流体入口の位置決めは、流体入口の位置がポンプの作動に干渉しないので、水源からの水の容易な捕集を可能にする。実際、典型的には、流体入口はポンプから離間される。
【００１４】
特に有利には、流体入口は、使用時に流体入口がホースにより流体源と連通するように、ホースに取付け可能とされ得る。有利には、この特徴は、流体リザーバ内に水を引き込むために、使用者がいわゆる「捕集ホース（ｓｃａｖｅｎｇｉｎｇ  ｈｏｓｅ）」の一方の端部を流体入口に取り付けて、ホースの反対側の端部を給水場所に置くことを可能にする。これは、水容器の特に容易な利用を可能にする。
【００１５】
流体入口は、ピストンヘッドと流体入口との間に存在する流体がポンプの作動中に流体源へ逆流しないように、第２の逆止め弁をさらに備えてもよい。本発明者らは、水容器が水源から流体リザーバ内に水を引き込むために使用される場合に、ポンプの作動中にピストンヘッドがピストン軸を通って後退されるときに、水源（これは、典型的には、容器内の水塊よりもはるかに大きい水塊である）によって提供される圧力が、水が流体入口から押し出されて水源に戻されるのを防ぐことを見いだした。しかし、ダックビル弁などの逆止め弁が水入口において使用され得ることが、なおも想定される。
【００１６】
硬質の流体リザーバは、取外し可能なベース部分を備えることが好ましい。これは、有利には、ベース部分を取り外して流体リザーバに水を導入することにより使用者が硬質の流体リザーバを満たすことができるように、流体リザーバへのアクセスの容易さを提供する。この作動モードは、水貯蔵器として機能する水容器で使用されることが想定される。この場合、リザーバ内に貯蔵された汚い水をフィルタに通すために、ポンプは、上記のように、流体リザーバ内に空気を送り込んで流体リザーバ内の圧力を高めるように作動される必要がある。
【００１７】
水出口の開位置および閉位置は、水栓によって操作されることが好ましいが、例えば取外し可能なキャップといった、水出口を開閉する他の手段も想定される。
【００１８】
有利には、水出口は、２次容器に取付け可能とされ得る。これは、上記で説明されたように、水容器が２次容器内へ連続的に水を送り込みかつ濾過するために使用される場合に、特に有益である。水出口は、例えば柔軟な袋のリザーバといった２次容器に水容器を取り付けることを可能にするホースに取付け可能であってもよい。水出口は、ホースへの取付けが特に容易なノズルを備えることが好ましい。
【００１９】
水容器は、使用時に水出口を通って流れる水が２次容器に入るように、２次容器への取付けのための固定手段をさらに備え得る。これは、水容器が上記で説明されたような２次容器を満たすために使用される場合に、特に有益である。典型的には、そのような固定手段は、例えば広口のＮａｌｇｅｎｅ（登録商標）ボトルといった対応するねじ山を備える２次容器に水容器が取り付けられることを可能にする、ねじ山である。水出口がホースに取付け可能であり、かつ、水容器が２次容器への取付けのための固定手段を備える場合、様々な２次容器を効率的に満たすことができるので、このことは、本発明の適応性をさらに高める。
【００２０】
フィルタは、圧力差の影響下で空気よりも水を優先して通過させるのに効果的な１つまたは複数の膜を備え得る。１つまたは複数の膜は、２０ナノメートル未満、好ましくは１５ナノメートル未満の平均径を有する複数の細孔を備えることが好ましい。これは、有利には、フィルタが限外濾過をすることができることを意味する。これは、細菌だけでなくウイルスも水から濾別されることを確実にする。好ましい膜は、細菌の９９．９９９９％超、嚢子の９９．９９％超、およびウイルスの９９．９９％超の保持率を有する。膜はまた、堆積物、および浮遊状態の他のあらゆる沈殿物を、水から除去する。
【００２１】
典型的には、フィルタは、少なくとも１つの親水性毛管中空繊維膜（ｈｙｄｒｏｐｈｉｌｉｃ  ｃａｐｉｌｌａｒｙ  ｈｏｌｌｏｗ  ｆｉｂｒｅ  ｍｅｍｂｒａｎｅ）を備える。フィルタは、そのような膜のアレイを備えることが好ましい。リザーバ内に貯蔵された汚い水は、圧力差の下で毛管中空繊維膜の壁に通されて毛管繊維膜のそれぞれの開口端部へ向かわせられる。毛管中空繊維膜は、繊維膜の開口端部を互いに固定された関係で保持するために、開口端部において注封され得る。
【００２２】
フィルタは、複数の繊維膜、好ましくは中空繊維膜を含む、フィルタカートリッジを備え得る。フィルタカートリッジは、水容器から取外し可能であることが好ましい。これは、有利には、「使用済みの」フィルタが使用者によって容易に交換されることを可能にする。そのような膜を使用することの１つの具体的な利点は、膜内の細孔が最終的には時間をかけて水から濾別された堆積物で満たされることである。このことが生じた場合、水はもはやフィルタを通過することができず、フィルタは交換を必要とする。これは、いつフィルタを交換するかの明瞭な指示を提供するだけでなく、流体リザーバから水出口への流体経路が閉鎖されたときに使用者が安全でない水を飲むのを防ぐ。
【００２３】
そのようなフィルタカートリッジは、典型的には、水が流体リザーバから穴を通ってフィルタ膜へ流れることを可能にするために、複数の穴が貫通している外壁を有する環状ハウジングを備える。
【００２４】
フィルタおよびピストン軸は、同軸、つまり共通軸を共有し得る。これは、コンパクトな水容器を可能にする。
【００２５】
流体リザーバ、フィルタ、およびピストン軸は、実質的に円筒状でありかつ同軸であり得る。
【００２６】
典型的には、水容器は、流体リザーバ内の圧力が過度に高くなるのを防ぐために、圧力調整器をさらに備える。圧力調整器は、流体リザーバ内の圧力が所定のレベルを超えて上昇するのを防ぐように適合された弁を備えることが好ましい。そのような弁は、例えばピストンヘッド内に位置決めされ得る。
【００２７】
ポンプの逆止め弁は、好ましくはアンブレラ弁であるが、他の逆止め弁も想定される。
【００２８】
流体経路は、フィルタと水出力部との間に配置された２次フィルタを備え得る。そのような２次フィルタは、有利には、例えば化学物質および重金属汚染物質を水から除去することといったさらなる濾過プロセスを提供し、また、典型的には炭素フィルタである。そのような２次フィルタは、水容器から取外し可能で、交換が可能とされることが好ましい。２次フィルタは主要なフィルタとは別々に取外し可能であることが想定され、これは、有利には、主要なフィルタの（例えば、汚れた指による）汚染を防ぐ。
【００２９】
典型的には、硬質の流体リザーバおよび水出口のうちの少なくとも一方は、プラスチック材料、好ましくは水質等級のアクリロニトリルブタジエンスチレン（ＡＢＳ）またはポリプロピレンで作られる。水出口は、細菌、菌類、およびカビの増殖を抑えるために、抗菌性の添加物を含むことが好ましい。典型的には、濾過されたきれいな水と接触する水容器のどの特徴も、そのような抗菌性の添加物を含む。
【００３０】
本発明の第２の態様によれば、水容器であって、閉鎖可能な水出口および流体入口を有する硬質の容器本体と、容器本体に収容されかつ水出口に連結された水フィルタと、容器本体に収容されかつ流体入口に連結されたポンプと、を備え、ポンプが、逆止め弁と、ピストン軸とを備え、ピストン軸を通してピストンヘッドが移動可能であり、ピストンヘッドが、ピストン軸の第１の端部にあるオリフィスを通って摺動自在に移動可能なピストン棒に連結されており、オリフィスが、水出口が開位置にあるときに圧力差により容器本体から水フィルタを通って水出口に向かう水の流れが引き起こされるように容器本体を加圧するために、使用時にポンプの作動により流体入口と連通している流体源から逆止め弁を通して容器本体内へ流体が送り込まれるように、ピストン棒の周りで封止されており、ピストン軸が、水フィルタによって実質的に包囲される、水容器が提供される。
【００３１】
硬質の容器本体は、好ましくは少なくとも３００ｍｌ、より好ましくは少なくとも４５０ｍｌの内部容積を有する。
【００３２】
本発明の第３の態様によれば、３Ｄプリンタを使用して本発明の水容器を製造するために３Ｄ印刷命令をコード化するコンピュータプログラム製品が提供される。
【００３３】
本発明の第４の態様によれば、本発明の水容器のコンピュータモデルをコード化するコンピュータプログラム製品が提供される。そのような３Ｄ印刷および／またはモデリングのために、例えばＳＴＥＰファイルといった様々な３Ｄ  ＣＡＤファイルのタイプが使用され得る。ＣＡＤファイルは、３Ｄプリンタが作動することができる命令に変換され得る。
【００３４】
本発明の第５の態様によれば、本発明による水容器と流体入口に取付け可能なホースとを含むキットが提供される。
【００３５】
次に、以下の図面を参照しながら、本発明の例を説明する。
【図面の簡単な説明】
【００３６】
【図１】好ましい水容器の側面図である。
【図２】好ましい水容器の断面図である。
【図３】好ましい水容器の部分的に分解された斜視図である。
【図４】好ましい水フィルタの斜視図である。
【図５】好ましい水容器のポンプの第１の側面図である。
【図６】好ましい水容器のポンプの第２の側面図である。
【図７】好ましい水容器のポンプの第３の側面図である。
【図８】好ましい水容器のポンプの第４の側面図である。
【発明を実施するための形態】
【００３７】
以下の説明は、本発明の特定の実施形態に関するが、以下の説明の代替案があり得ることが、当業者によって理解されるであろう。
【００３８】
図１は、本発明による水容器１００を示し、図２は、前述の水容器の断面図を示し、図３は、水容器１００の主要構成部品を示す、部分的に分解された斜視図である。次に、図１、２、および３を参照しながら、水容器の全体像を示す。
【００３９】
水容器１００は、一方の端部に一体に形成された蓋１０ａを有し他方の端部に取外し可能な基部３０を有する、実質的に円筒形で硬質の中空外側ハウジング１０を備える。蓋１０ａは、一体に形成されたノズル１５を備える締付け部材２５に取り付けられる。締付け部材２５は、蓋１０ａ上の対応するねじ山２５ｂにより締付け部材２５がハウジング１０の蓋１０ａに取外し可能に取り付けられることを可能にする、ねじ山２５ａを備える。実質的に環状のシール２０ａが、締付け部材２５と蓋１０ａとの間でシールとして働く。シール２０ａは、可撓性のストラップ２０ｂを介してキャップ２０に取り付けられ、シール２０ａおよびストラップ２０ｂは、典型的には、単一の部材として形成される。キャップ２０は、キャップ２０の下面に一体に成形された摩擦に基づくシールを介した締付け部材２５との押込み嵌め接合部を有する。可撓性のストラップ２０ｂは、使用者が締付け部材２５からキャップ２０を取り外したときにキャップ２０を置き忘れることを防ぎ、また、容器１００を容易に持ち運ぶまたはバッグに取り付けることを可能にする。ハウジング１０は、使用者が容器を掴むのを支援するために、また、構造上の剛性を高めて荷重下でのハウジングの変形に抵抗するために、くぼめられた部分１１を有する。
【００４０】
基部３０は、ねじ山３３によりハウジング１０に取外し可能に取り付けることができ、かつ、シール３２により水密かつ気密のシールを形成する。基部３０は、基部３０の外壁において実質的に円形のオリフィスを含む流体入口５０を備える。流体入口は、流体入口パイプ５０ａにより、ポンプ７０のピストン軸７１に連結される。ポンプ７０は、ピストン軸７１、ピストン軸内を移動するピストンヘッド７３、および握り３１を備える。ピストンヘッド７３および握り３１は、握りの運動がピストン軸７１内でピストンヘッド７３を移動させるのに有効であるように、ピストン棒７２により互いに対して固定される。握り３１は、基部３０と一体に形成されるが、ピストンヘッド７３をピストン軸内で移動させるために、容器１００の軸に沿った自由度を有する。握り３１は、使用してないときには（例えば、適切に設計された突起が握りから基部に入ることにより）基部３０内にロックされ得る。
【００４１】
逆止め弁７７が、握りに対するポンプ７０の遠位端部に設けられ、ピストン軸７１は、ピストン軸における水密かつ気密のシールを作り出すために、シール７４によりピストン棒の周りで封止される。シール７４は、ニトリルゴムのＯリングシールであることが好ましい。この実施形態のポンプは、使用者がポンプを作動させるために克服しなければならない圧力が容器内の圧力に等しいという点で、１：１ポンプである。それでもなお、ポンプをより容易に手動で作動させられるように、ラチェット式または歯車式のシステムを使用することが可能である（したがって、ポンプ内部の圧力を他の方法で可能とされるのよりも高い水準に高めることが可能とされる）。ポンプの作動については、図５から８を参照してより詳細に説明される。
【００４２】
図２および３で明らかなように、フィルタカートリッジ６０が、容器１００のハウジング１０内に配置される。フィルタカートリッジ６０は、基部３０に当接し、かつ、フィルタカートリッジ６０のハウジング６２の上端部上に位置決めされたフランジ６８と蓋１０ａ上の受入溝６９との間の差込みロック作用を介してハウジングの蓋１０ａに取り付けられる。食品用シール６１が、フィルタカートリッジ６０と蓋１０ａとの間のシールが水密でもあり気密でもあるように、設けられる。この実施形態では、フィルタカートリッジ６０は、ポンプ７０を実質的に包囲し、ポンプ７０、容器ハウジング１０、およびフィルタカートリッジ６０は、共通の軸を共有する。フィルタカートリッジ６０については、図４を参照してより詳細に説明される。
【００４３】
流体リザーバ１２が、フィルタ６０と蓋１０ａと基部３０との間の空間内にハウジング１０によって画定される。流体リザーバは、好ましくは少なくとも３００ｍｌ、より好ましくは４５０ｍｌの容積を有する。
【００４４】
図３で明らかなように、水容器１００はまた、フィルタカートリッジ６０と水出口１５との間に配置された追加の炭素フィルタ１８を組み込み、したがって、水は、炭素フィルタ１８を通過し、水出口１５を通って水容器から出る。図２は炭素フィルタ自体を示していないが、炭素フィルタ１８が位置する空間（１８ａ）は明瞭に示されている。炭素フィルタは、水から化学物質および重金属汚染物質を除去するのに効果的であることが知られている。あるいは、またはさらに、様々なフィルタを容器１００に組み込むことができる。例えば、樹脂フィルタは、効果的な海水脱塩フィルタとして知られている。このタイプのまたは他のタイプのフィルタが、フィルタカートリッジ６０に組み込まれてもよい。
【００４５】
好ましい実施形態で使用される炭素フィルタは、活性炭フィルタであるが、他のタイプの炭素ベースのフィルタ（木炭フィルタなど）が採用されてもよい。
【００４６】
有利には、締付け部材２５の取外しは、フィルタカートリッジ６０を取り外さなくても使用者が（例えば、使用済みの炭素フィルタを交換するために）炭素フィルタにアクセスすることを可能にする。これは、フィルタカートリッジを汚染する危険を冒さずに炭素フィルタを交換できることを意味する。
【００４７】
ノズル１５は、それが開位置にあるときに、濾過された水がフィルタ６０を通って水容器１００から出ることを可能にするという点で、水出口として働く。ノズル１５はまた、閉位置を有し、この閉位置では、水がノズルの端部から流出することができない。好ましい実施形態では、ノズル１５の開位置および閉位置は、締付け部材２５の側壁に位置決めされた入口２１０を通して締付け部材２５と一体化される水栓部材２００によって制御される。水栓部材は、その一方の端部に貫通穴２０４を有する長尺部材２０２を含む。長尺部材２０２の長さは、貫通穴２０４がノズル１５と同じ径方向位置に配置されるような長さである（典型的には、ノズルは、平面図で見たときに、容器の中心に位置決めされ、したがって、長尺部材２０２の長さは、容器１００の半径に実質的に等しい）。貫通穴２０４がノズル１５の軸と一直線になると、流体が水栓部材２００の貫通穴２０４を通ってノズルから流れることができるので、ノズルは開位置にあると考えられる。貫通穴がノズル１５の軸と一直線にならないように（典型的には、貫通穴がノズルの軸に垂直であるように）水栓部材が回転されると、水はもはやノズルから流れることができないので、ノズル１５は閉位置にある。水栓部材の回転は、締付け部材２５から突き出る握り２０８によって発動される（図１参照）。このようにして、ノズル１５および水栓部材２００は、当業者によって理解されるように水栓として一緒に機能する。
【００４８】
しかし、例えばノズルの端部を覆って取外し可能に位置決めされるキャップといった、ノズル１５の開位置および閉位置を発動させる他の手段が想定される。
【００４９】
図３に明瞭に示されるように、締付け部材２５は、ノズル１５を包囲する取付構造部１５ａをさらに備える。取付構造部１５ａは、実質的に環状の形状を有し、かつ、ノズル１５と同軸であり、これは、ノズル１５と取付構造部１５ａとの間に画定された空間内にホースのハウジングを配置することにより良好な水密シールを有してホースをノズルに取り付けられることを意味する。しかし、水出口１５とホースとの間の良好な取付けを形成する他の手段が想定される。
【００５０】
図４は、１つの好ましい実施形態のフィルタカートリッジ６０を示す。示されるように、フィルタカートリッジ６０は、中空繊維膜６５のマトリクスが内部に配置される、実質的に環状のハウジング６２を備える。中空繊維膜６５は、典型的には、限界濾過をすることが可能な平均細孔径を有する。したがって、フィルタカートリッジ６０は、細菌、ウイルス、嚢子、寄生生物、菌類、および他のあらゆる水媒介性病原体を除去するのに有効である。実際に、そのようなフィルタは、あらゆる微生物学的物質を水から除去して、安全な飲料水を提供する。
【００５１】
繊維膜６５は、図４に示されるように実質的に直線状に配置され、かつ、ノズル１５に近い開口端部６０ａにおいて樹脂層６７に注封され、かつ、遠位端部において密封される。膜は、図４で明らかなように、膜の円筒を形成するために、食品用接着剤によってまとまって保持される。
【００５２】
好ましい実施形態では、膜内の開口部は、２０ｎｍよりも小さく、好ましくは１５ｎｍよりも小さい。これは、ウイルスおよび細菌が水から濾別されることを確実にする。好ましい繊維膜６５は、水からの９９．９９９９％超の細菌の保持率、９９．９９％超の嚢子の保持率、および９９．９９％超のウイルスの保持率を有する。繊維膜はまた、堆積物、および浮遊状態の他のあらゆる汚染物質を、水から除去する。
【００５３】
フィルタ膜は、親水性であって、結果的に水（または任意の他の液体）が空気に優先してフィルタ膜を通過することが、好ましい。
【００５４】
ハウジング６２の外壁は、汚い水が流体リザーバ１２から繊維膜６５に入ることを可能にする、複数の穴６３を含む。
【００５５】
手動ポンプ７０は、ノズルがその開位置にあるときに、水を流体リザーバ１２から中空繊維膜６５の壁に通し、その後ノズル１５に近いそれらの開口端部まで繊維膜の長さに沿って進ませるために、膜壁にわたって必要とされる圧力差を提供する。
【００５６】
本発明での使用に適した繊維膜は市販されており、例えばＧＥ  Ｐｏｗｅｒ  ａｎｄ  Ｗａｔｅｒによる繊維膜が使用され得る。あらゆる濁り、細菌、およびウイルスをスクリーニングするには、中空限外濾過膜が効果的である。
【００５７】
次に、図５から８を参照して、ポンプ７０をより詳細に説明するが、これらの図は、例えば河川または湖であり得る水源３００から水を引き込む際のポンプの働きを示している。図５から８では、図示を容易にするために、ポンプ７０の主要構成要素だけが示されている。
【００５８】
ポンプヘッド７３は、逆止め弁７７に近い第１のエンドストップ７４ａと逆止め弁７７から遠い第２のエンドストップ７４ｂとを画定する、環状の溝７４を備える。第１のエンドストップと第２のエンドストップとの間で移動可能であるＯリングシール７５が、溝７４に配置される。シール７５が第１のエンドストップ７４ａに当接すると、第１のエンドストップ７４ａにある対向する切り欠き部分を通ってピストンヘッド７３を通り越える流体経路が画定される。これは、図３中の７６に最も明瞭に見られる。シール７５が第２のエンドストップ７４ｂに当接すると、ピストンヘッドは、ピストン軸７１を実質的に封止する。
【００５９】
使用時には、使用者は、捕集ホース５１を流体出口５０に取り付けて、ホースの遠位端部を水源に入れることができる。このようにして、容器１００の流体入口５０は、水源と流体連通する。図５に示されるように握り３１が引き込み位置にある状態で、ポンプサイクルが始まる。
【００６０】
使用者は、図６に示されるように、閉じる力Ｆ１を握り３１に印加する。それにより、ピストン棒７２による握り３１とピストンヘッド７３との連結に起因して、ピストンヘッド７３がピストン軸７１に沿って移動させられる。Ｏリングシール７５は、ピストン軸７１の内表面との摩擦により第２のエンドストップ７４ｂに押し付けられ、その結果、密封位置に位置する。移動するピストンヘッド７３の後側に作り出される低圧領域は、水源３００から捕集ホース５１に沿って流体入口５０を経てピストン軸７１内へと、水を引き込む。これは、陰影付け９０によって示されている。ピストン軸とピストン棒７２との間のシール７４は、水だけが（すなわち、空気を含まずに）ピストンチャンバ７１内に引き込まれることを確実にする。
【００６１】
図７に示された閉位置まで握り３１が押し込まれると、ピストン軸７１は、陰影付け９０によって示されるように水でいっぱいになる。
【００６２】
図８に示されるように、使用者が握り３１に引き出す力Ｆ２を印加すると、Ｏリングシール７５は、摩擦により第１のエンドストップ７４ａにもたれて移動され、したがって非封止位置に位置し、それにより、図８で矢印によって示されているように、第１のエンドストップ７４ａにある切り欠き部分７６を通ってピストンヘッド７３を通り越える流体経路が開かれる。したがって、ピストン軸７１の端部から水が押し出されるのを防ぐシール７４の存在により、使用者が引き出す力Ｆ２を印加することにより握りが引き出されると、すでにピストン軸７１内に引き込まれている水が、ピストンヘッドの周りを流れて、ピストンヘッドの上側のピストンヘッドと逆止め弁との間の領域を満たす。握り３１が引き出されるときに水が流体入口５０から逆流するのを防ぐには、水塊３００の圧力で十分であることが分かっている。それでも、ダックビル弁などの逆止め弁が流体入口５０に配置され得ることが想定される。
【００６３】
握りが（図５におけるように）完全に引き出された位置にある状態では、ポンプヘッド７３と逆止め弁７７との間の領域内に多量の水が存在する。使用者により閉じる力がさらに印加されると、Ｏリングシール７５は、その閉位置へ移動されて、したがって、ポンプヘッド７３と逆止め弁７７との間の領域内の水は、逆止め弁を通って流体リザーバ１２内へ押し込まれる。すでに流体リザーバ１２内に存在する空気により、流体リザーバ１２内に送り込まれた水は、流体リザーバ１２内の圧力を高める。
【００６４】
したがって、握りの（図５に示されるような）引き出された位置と（図７に示されるような）閉じられた位置との間での繰返しの運動により、流体リザーバ内に水が送り込まれる。
【００６５】
捕集ホースが水源に入れられておらず、大気に向かって開かれている（または、図１から３におけるように、流体入口５０が大気と直接連通するように捕集ホースが取り外されている）場合、ポンプ７０は、逆止め弁を通して流体リザーバ１２内へ空気を押し込むように、同様に機能する。
【００６６】
逆止め弁７７は、きのこのような形状を有する。ポンプヘッド７３がポンプ軸７１に導入されるときに、ポンプ軸内の圧力が、逆止め弁７７の側方先端部をわずかに立ち上がらせて、水（または空気）がポンプ軸にある穴７８を介して流体リザーバ１２に入ることを可能にする。ポンプヘッド７３が後退されると、逆止め弁の側方先端部は、元の穴７８の上に戻って、水（または空気）がリザーバ１２から出るのを防ぐ。
【００６７】
ポンプ７０は、ポンプヘッド７３の通路内に配置された圧力調整システムを備える。玉軸受８１が、ばね８２によりポンプヘッド７３の先端に向かって付勢される。容器ハウジング１０に圧力が印加されると、玉軸受は、印加された圧力に応じた距離だけ通路を下方に後退する。圧力が所定の最大レベルに達すると、玉軸受８１は、水（または空気）が逆止め弁７７を押し通されるのではなく逃し通路８３を通過することができる程度まで後退することができ、それにより、ハウジング１０にさらなる圧力が印加されるのを防ぐ。ばね８２を収縮させるのに必要な圧力は、ばねの長さ、および、フックの法則によるばね定数に左右される。このようにして、ハウジング１０に印加され得る最大圧力が調整される。
【００６８】
次に、水容器１００がどのように使用され得るかを、まず水容器１００が２次容器（図示せず）を満たすために「直流」ポンプとして機能するモードにおいて説明する。最初にキャップ２０が取り外され、ノズル１５がその開位置に位置するように、水栓部材２００が回転される。次いで、水容器１００は、ノズル１５から流出する水が２次容器に入るように、２次容器に取り付けられることが好ましい。これは、締付け部材２５のねじ山２１を２次容器（例えば、広口のＮａｌｇｅｎｅ（登録商標）ボトル）上の対応するねじ山に取り付けることによって、または、上記のように（例えば、２次容器として働く柔軟な袋への取付けのために）取付構造部１５ａにホースを取り付けることによって、行われ得る。
【００６９】
いったん容器１００が２次容器に取り付けられると、捕集ホース（例えば、図５〜８参照）が流体入口５０に取り付けられ、ホースの遠位端部が、河川または湖などの汚い水源に導入される。次いで、握りの引き出された位置から閉じられた位置への繰返しの運動による、使用者によるポンプの作動が、図５から８に関連して上記で説明されたように、水を流体リザーバ１２内に引き込む。流体リザーバ１２内への水の導入は、流体リザーバ１２からの汚い水が、フィルタカートリッジ６０の繊維膜に通され、炭素フィルタ１８に通され、ノズル１５から出されて２次容器に入れられるように、十分な圧力差を生じさせる。このようにして、使用者は、水容器１００を使用して、必要とするのと同じ量の水を汚い水源から２次容器内に連続的に送り込むことができる。２次容器内の水は、濾過された飲用水である。これは、例えば使用者がトレッキング中に水源に出くわしたが次の給水場所がいつ見つかるか分からない場合に、特に有益である。水容器１００を使用すると、彼／彼女は、必要であると考えるのと同じの量のきれいな飲料水を容易に作り出すことができる。
【００７０】
水容器１００はまた、必要なときに使用者によって濾過されて飲まれ得る汚い水のための貯蔵デバイスとして使用され得る。このモードでは、水栓部材２００は、水出口１５が閉位置に位置するように、回転される。上記で説明されたのと同様に、捕集ホースが流体入口５０に取り付けられて、河川または湖などのきれいではない水源に導入される。ポンプ７０の作動が、水源から流体リザーバ１２内に水を引き込む。このようにして流体リザーバ１２を水で満たすことは、流体リザーバ１２内にすでに存在する空気により流体リザーバ１２を加圧し、したがって、ノズル１５が開位置に変更されるときに（すなわち、使用者が飲料を欲するときに）は、リザーバ１２内に貯蔵された汚い水をフィルタ６０の繊維膜に通し炭素フィルタ１８に通してノズル１５から出すのに十分な圧力差が存在する。
【００７１】
しかし、リザーバ１２からフィルタ６０を経てノズルに向かうこの流体経路を有効にするためにより高い圧力が必要とされる場合、ポンプ７０は、リザーバ１２を加圧してリザーバ１２内に貯蔵された汚い水をフィルタ６０に通すのに必要とされる圧力差を生じさせるために、ノズルを閉めた状態で流体リザーバ１２内に空気を送り込むのに使用され得る。流体リザーバ１２内に空気を送り込むために、捕集ホースは、流体入口が水ではなく大気と流体連通するように水源から取り出される（また、流体入口から取り外され得る）。そのような場合、ポンプの作動が、上記で説明されたように流体リザーバ１２内に空気を引き込み、それにより流体リザーバ内の圧力が高められる。
【００７２】
水容器１００が貯蔵デバイスとして使用される場合、水入口を通して水を送り込む代わりに、使用者は、単純に容器の基部３０を緩め、水を（例えば、水源で水を注ぐまたは水源から水を「すくい取る」ことにより）直接流体リザーバ１２に導入した末に、基部を元の位置に戻すことができる。そのような状況では、ポンプ７０は、次いで、水をフィルタ６０に通してノズル１５から出すのに十分な圧力を生成するために、ノズルを閉めた状態で流体リザーバ１２内に空気を送り込むのに使用されることが必要になる。
【００７３】
上記で説明された水容器１００の両方の（すなわち、直流ポンプとしての、または貯蔵容器としての）「モード」において、使用者は捕集ホースを使用するのではなく単純に水入口５０を（例えば、水入口を水中で保持することにより）水源に導入できることが、留意されるべきである。
【００７４】
水容器は、プラスチック材料で作られることが好ましく、特に、水質等級のアクリロニトリルブタジエンスチレン（ＡＢＳ）またはポリプロピレンで作られることが好ましい。プラスチック製容器は、射出成形、ブロー成形、または３Ｄ印刷などの、当技術分野でよく知られた技法によって作られ得る。しかし、容器は、金属で作られてもよい。濾過された水と接触する材料は、ＳｔｅｒｉＴｏｕｃｈ（登録商標）によって製造されたものなどの抗菌性の添加物を含むことが好ましい。濾過された水と接触する容器の部品には、ノズル１５、取付構造部１５ａ、水栓部材２００、キャップ２０、フィルタハウジング６２、樹脂層６７、および締付け部材２５のうちの少なくとも１つが含まれる。
【図１】
2020507447.tif 000003
【図２】
2020507447.tif 000004
【図３】
2020507447.tif 000005
【図４】
2020507447.tif 000006
【図５】
2020507447.tif 000007
【図６】
2020507447.tif 000008
【図７】
2020507447.tif 000009
【図８】
2020507447.tif 000010
【国際調査報告】
2020507447.tif 000011
2020507447.tif 000012
2020507447.tif 000013